(57)【要約】【課題】設備の負担や管理者にかかる負担を軽減する。【解決手段】教室の各机（Ｄ−１〜Ｄ−９）を特定するための机情報を保持している机情報保持装置（１０−１〜１０−９）と、所持している学生（Ｓ−１，Ｓ−２，Ｓ−４〜Ｓ−９）を特定するための学生情報を保持しており机情報保持装置から机情報を読み取り該机情報および学生情報を電波で送信する無線タグ（２０−１〜２０−９）と、無線タグが送信する電波を受信するためのアンテナ（３１）と、アンテナで受信した電波から机情報および学生情報を検出し両者を関連付けて記憶する制御装置（３２）とを具備する。【効果】机情報保持手段に対する通信線の設備が不要になる。複数の無線タグに対してアンテナを共用できる。管理者が無線タグ用リーダ・ライタを持って各机を巡回することが不要になる。【選択図】図１
2009146258.tif 000002
【特許請求の範囲】
【請求項１】
管理対象場所（Ｄ）に設置され前記管理対象場所（Ｄ）を特定するための場所情報を保持している場所情報保持手段（１０）と、管理対象体（Ｓ）に付随して移動可能であり前記管理対象体（Ｓ）を特定するための対象体情報を保持しており前記場所情報保持手段（１０）から前記場所情報を読み取り該場所情報および前記対象体情報を電波で送信する無線タグ（２０）と、前記無線タグ（２０）が送信する電波を受信するためのアンテナ（３１）と、前記アンテナ（３１）で受信した電波から前記場所情報および前記対象体情報を検出し両者を関連付けて記憶する情報関連付け記憶手段（３２）とを具備したことを特徴とする配置管理システム（１００）。
【請求項２】
請求項１に記載の配置管理システムにおいて、前記場所情報保持手段（１０）は、前記場所情報を無電源状態でも保持しうる手段（１２）と、前記無線タグ（２０）から給電された状態で前記無線タグ（２０）へ前記場所情報を送信する手段（１３）とを有し、前記無線タグ（２０）は、電池（２９）を電源とし、前記管理対象体（Ｓ）を特定するための対象体情報を保持する手段（２６）と、前記場所情報保持手段（１０）へ給電する手段（２４）と、前記場所情報保持手段（１０）へ給電した状態で前記場所情報保持手段（１０）から送信される前記場所情報を読み取る手段（２５）と、前記場所情報および前記対象体情報を電波で送信する手段（２７）とを有することを特徴とする配置管理システム。
【請求項３】
請求項２に記載の配置管理システムにおいて、前記管理対象場所（Ｄ）またはその近傍に前記管理対象体（Ｓ）または前記管理対象体（Ｓ）と推定されるものが存在するか否かを検知する存在検知手段（４０）を具備し、前記場所情報保持手段（１０）は、前記存在検知手段（４０）で存在を検知しければ前記場所情報を前記無線タグ（２０）へ送信しないことを特徴とする配置管理システム。
【請求項４】
請求項１に記載の配置管理システムにおいて、前記管理対象場所（Ｄ）またはその近傍に前記管理対象体（Ｓ）または前記管理対象体（Ｓ）と推定されるものが存在するか否かを検知する存在検知手段（４０）を具備し、前記場所情報保持手段（１０）は、電池（２９）を電源とし、前記存在検知手段（４０）で存在を検知しければ前記電池（２９）から給電しないことを特徴とする配置管理システム。
【請求項５】
請求項１または請求項４に記載の配置管理システムにおいて、前記場所情報保持手段（１０）は、電池（２９）を電源とし、近傍に無線タグ（２０）が存在するか否かを検知する無線タグ存在検知手段（１８ｄ）を具備し、前記無線タグ存在検知手段（１８ｄ）で無線タグ（２０）の存在を検知しければ前記電池（２９）から給電しないことを特徴とする配置管理システム。
【請求項６】
請求項１に記載の配置管理システムにおいて、前記場所情報保持手段（１０）は、前記場所情報を無電源状態でも保持しうる手段（１６）であり、前記無線タグ（２０）は、前記場所情報を無電源状態でも保持しうる手段（１６）から前記場所情報を読み取るセンサ手段（２１０〜２１９）を有することを特徴とする配置管理システム。
【請求項７】
管理対象場所（Ｄ）に設置され、前記管理対象場所（Ｄ）を特定するための場所情報を無電源状態でも保持しうる手段（１２）と、外部（２０）から給電された状態で外部（２０）へ前記場所情報を送信する手段（１３）とを具備したことを特徴とする場所情報保持装置（１０）。
【請求項８】
管理対象体（Ｓ）に付随して移動可能であり、電池（２９）を電源とし、前記管理対象体（Ｓ）を特定するための対象体情報を保持する手段（２６）と、場所情報保持装置（１０）へ給電する手段（２４）と、前記場所情報保持装置（１０）へ給電した状態で前記場所情報保持装置（１０）から送信される前記場所情報を読み取る手段（２５）と、前記場所情報および前記対象体情報を電波で送信する手段（２７）とを具備したことを特徴とする無線タグ（２０）。
【請求項９】
無線タグ（２０）が送信する電波を受信するためのアンテナ（３１）と、前記アンテナ（３１）で受信した電波から場所情報および前記対象体情報を検出し両者を関連付けて記憶する情報関連付け記憶手段（３２）と、予め登録されている複数の管理対象場所およびそれら管理対象場所の対象場所情報に関連付けて記憶されている対象体情報に対応する管理対象体を表示する表示手段（３３）と具備したことを特徴とする管理装置（３０）。
【発明の詳細な説明】
【技術分野】
【０００１】
本発明は、配置管理システム、場所情報保持装置、無線タグおよび管理装置に関し、さらに詳しくは、管理対象場所に管理対象体が配置されているか否かを管理するための配置管理システム、場所情報保持装置、無線タグおよび管理装置に関する。
【背景技術】
【０００２】
従来、ＩＣカードリーダを教室の各机に設置し、着座した学生が所持するＩＣカードをＩＣカードリーダに読み込ませると、当該ＩＣカードリーダのＩＤと当該ＩＣカードのＩＤとが通信線でサーバに送信される「着座管理システム」が知られている（例えば、特許文献１参照。）。
また、至近距離に受信圏を持つアンテナを教室の各机に設置し、着座した学生が所持するＩＤカードをアンテナにかざすと、当該アンテナに通信線で接続された無線タグ用リーダ・ライタがＩＤカードから当該ＩＤカードのＩＤを読み取る「出席管理システム」が知られおり、また、至近距離に送信圏を持つ無線タグシートを教室の各机に設置し、管理者が無線タグ用リーダ・ライタを持って各机を巡回し、各机の無線タグシートから座席ＩＤを読み取ると共に着座した学生が所持するＩＤカードから当該ＩＤカードのＩＤを読み取る「出席管理システム」が知られている（例えば、特許文献２参照。）。
【特許文献１】特開２００７−８７１７２号公報
【特許文献２】特開２００５−２６７３５５号公報
【発明の開示】
【発明が解決しようとする課題】
【０００３】
上記「着座管理システム」では、教室の各机に設置したＩＣカードリーダとサーバとを接続する通信線の設備が負担になる問題点がある。
また、上記「出席管理システム」では、教室の各机に設置したアンテナと無線タグ用リーダ・ライタとを接続する通信線の設備が負担になる問題点があり、また、各机を巡回する管理者に負担がかかる問題点がある。
そこで、本発明の目的は、設備の負担や管理者にかかる負担を軽減できる配置管理システム、場所情報保持装置、無線タグおよび管理装置を提供することにある。
【課題を解決するための手段】
【０００４】
第１の観点では、本発明は、管理対象場所（Ｄ）に設置され前記管理対象場所（Ｄ）を特定するための場所情報を保持している場所情報保持手段（１０）と、管理対象体（Ｓ）に付随して移動可能であり前記管理対象体（Ｓ）を特定するための対象体情報を保持しており前記場所情報保持手段（１０）から前記場所情報を読み取り該場所情報および前記対象体情報を電波で送信する無線タグ（２０）と、前記無線タグ（２０）が送信する電波を受信するためのアンテナ（３１）と、前記アンテナ（３１）で受信した電波から前記場所情報および前記対象体情報を検出し両者を関連付けて記憶する情報関連付け記憶手段（３２）とを具備したことを特徴とする配置管理システム（１００）を提供する。
上記第１の観点による配置管理システム（１００）では、管理対象場所（Ｄ）に設置される場所情報保持手段（１０）に対する通信線の設備が不要になり、また、複数の無線タグ（２０）に対してアンテナ（３１）を共用できるから、設備の負担を軽減できる。また、管理者が無線タグ用リーダ・ライタを持って各机を巡回することが不要になるから、管理者にかかる負担を軽減できる。
【０００５】
第２の観点では、本発明は、前記第１の観点による配置管理システムにおいて、前記場所情報保持手段（１０）は、前記場所情報を無電源状態でも保持しうる手段（１２）と、無線タグ（２０）から給電された状態で無線タグ（２０）へ前記場所情報を送信する手段（１３）とを有し、前記無線タグ（２０）は、電池（２９）を電源とし、前記管理対象体（Ｓ）を特定するための対象体情報を保持する手段（２６）と、前記場所情報保持手段（１０）へ給電する手段（２４）と、前記場所情報保持手段（１０）へ給電した状態で前記場所情報保持手段（１０）から送信される前記場所情報を読み取る手段（２５）と、前記場所情報および前記対象体情報を電波で送信する手段（２７）とを有することを特徴とする配置管理システムを提供する。
上記第２の観点による配置管理システムでは、場所情報保持手段（１０）への給電線の設備も不要になり、設備の負担をさらに軽減できる。
【０００６】
第３の観点では、本発明は、前記第２の観点による配置管理システムにおいて、前記管理対象場所（Ｄ）またはその近傍に前記管理対象体（Ｓ）または前記管理対象体（Ｓ）と推定されるものが存在するか否かを検知する存在検知手段（４０）を具備し、前記場所情報保持手段（１０）は、前記存在検知手段（４０）で存在を検知しければ前記場所情報を前記無線タグ（２０）へ送信しないことを特徴とする配置管理システムを提供する。
上記第３の観点による配置管理システムでは、無線タグ（２０）だけが配置され、管理対象体（Ｓ）が配置されていない場合に、管理対象体（Ｓ）が配置されていると誤認することを防止できる。
【０００７】
第４の観点では、本発明は、前記第１の観点による配置管理システムにおいて、前記管理対象場所（Ｄ）またはその近傍に前記管理対象体（Ｓ）または前記管理対象体（Ｓ）と推定されるものが存在するか否かを検知する存在検知手段（４０）を具備し、前記場所情報保持手段（１０）は、電池（２９）を電源とし、前記存在検知手段（４０）で存在を検知しければ前記電池（２９）から給電しないことを特徴とする配置管理システムを提供する。
上記第４の観点による配置管理システムでは、無線タグ（２０）だけが配置され、管理対象体（Ｓ）が配置されていない場合には、場所情報保持手段（１０）の電池（２９）から給電しないため、無駄な電池の消耗を防止することが出来る。
【０００８】
第５の観点では、本発明は、前記第１または第４の観点による配置管理システムにおいて、前記場所情報保持手段（１０）は、電池（２９）を電源とし、近傍に無線タグ（２０）が存在するか否かを検知する無線タグ存在検知手段（１８ｄ）を具備し、前記無線タグ存在検知手段（１８ｄ）で無線タグ（２０）の存在を検知しければ前記電池（２９）から給電しないことを特徴とする配置管理システムを提供する。
上記第５の観点による配置管理システムでは、無線タグ（２０）が配置されていない場合には、場所情報保持手段（１０）の電池（２９）から給電しないため、無駄な電池の消耗を防止することが出来る。また、無線タグ（２０）が配置されていない場合および無線タグ（２０）が配置されても管理対象体（Ｓ）が配置されていない場合には、場所情報保持手段（１０）の電池（２９）から給電しないため、無駄な電池の消耗を防止することが出来る。
【０００９】
第６の観点では、本発明は、前記第１の観点による配置管理システムにおいて、前記場所情報保持手段（１０）は、前記場所情報を無電源状態でも保持しうる手段（１６）であり、前記無線タグ（２０）は、前記場所情報を無電源状態でも保持しうる手段（１６）から前記場所情報を読み取るセンサ手段（２１０〜２１９）を有することを特徴とする配置管理システムを提供する。
上記第６の観点による配置管理システムでは、場所情報保持手段（１０）の構成が著しく簡単になる。
【００１０】
第７の観点では、本発明は、管理対象場所（Ｄ）に設置され、前記管理対象場所（Ｄ）を特定するための場所情報を無電源状態でも保持しうる手段（１２）と、外部（２０）から給電された状態で外部（２０）へ前記場所情報を送信する手段（１３）とを具備したことを特徴とする場所情報保持装置（１０）を提供する。
上記第７の観点による場所情報保持装置（１０）では、給電線の設備も不要になり、設備の負担をさらに軽減できる。
【００１１】
第８の観点では、本発明は、管理対象体（Ｓ）に付随して移動可能であり、電池（２９）を電源とし、前記管理対象体（Ｓ）を特定するための対象体情報を保持する手段（２６）と、場所情報保持装置（１０）へ給電する手段（２４）と、前記場所情報保持装置（１０）へ給電した状態で前記場所情報保持装置（１０）から送信される前記場所情報を読み取る手段（２５）と、前記場所情報および前記対象体情報を電波で送信する手段（２７）とを具備したことを特徴とする無線タグ（２０）を提供する。
上記第８の観点による無線タグ（２０）では、無線タグ（２０）から場所情報保持装置（１０）へ給電するため、場所情報保持装置（１０）に対する給電線の設備を不要に出来る。
【００１２】
第９の観点では、本発明は、無線タグ（２０）が送信する電波を受信するためのアンテナ（３１）と、前記アンテナ（３１）で受信した電波から場所情報および前記対象体情報を検出し両者を関連付けて記憶する情報関連付け記憶手段（３２）と、予め登録されている複数の管理対象場所およびそれら管理対象場所の対象場所情報に関連付けて記憶されている対象体情報に対応する管理対象体を表示する表示手段（３３）と具備したことを特徴とする管理装置（３０）を提供する。
上記第９の観点による管理装置（３０）では、複数の無線タグ（２０）に対して１つのアンテナ（３１）を共用できるから、設備の負担を軽減できる。
【発明の効果】
【００１３】
本発明の配置管理システム、場所情報保持装置、無線タグおよび管理装置によれば、管理対象場所（Ｄ）に設置される場所情報保持手段（１０）に対する通信線の設備が不要になり、また、複数の無線タグ（２０）に対してアンテナ（３１）を共用できるから、設備の負担を軽減できる。また、管理者が無線タグ用リーダ・ライタを持って各机を巡回することが不要になるから、管理者にかかる負担を軽減できる。
【発明を実施するための最良の形態】
【００１４】
以下、図に示す実施の形態により本発明をさらに詳細に説明する。なお、これにより本発明が限定されるものではない。
【実施例１】
【００１５】
図１は、実施例１に係る着席管理システム１００を示す構成図である。
この着席管理システム１００は、教室内の各机Ｄ−１〜Ｄ−９にそれぞれ設置され各机Ｄ−１〜Ｄ−９を特定するための机情報を保持している机情報保持装置１０−１〜１０−９と、学生Ｓ−１，Ｓ−２，Ｓ−４〜Ｓ−９が携帯し各学生Ｓ−１，Ｓ−２，Ｓ−４〜Ｓ−９を特定するための学生情報を保持しており机情報保持装置１０−１〜１０−９から机情報を読み取り該机情報および自分が保持している学生情報を電波で送信する無線タグ２０−１〜２０−９と、教室内の無線タグ２０−１〜２０−９が送信する電波を受信するためのアンテナ３１と、アンテナ３１で受信した電波から机情報および学生情報を検出し両者を関連付けて記憶する制御装置３２と、教室内の各机およびそれら机の机情報に関連付けて制御装置３２に記憶されている学生情報に対応する学生を表示するタッチパネル付きディスプレイ３３と具備している。
【００１６】
アンテナ３１と、制御装置３２と、タッチパネル付きディスプレイ３３とが、管理装置３０を構成する。
【００１７】
なお、図１において、机Ｄ−１には学生が着席しておらず、机情報保持装置１０−１には無線タグがセットされていない。また、机Ｄ−２には学生Ｓ−２が着席しているが、机情報保持装置１０−２には無線タグ２０−２がセットされていない。また、机Ｄ−３には学生が着席していないが、机情報保持装置１０−３には無線タグ２０−３がセットされている。さらに、机Ｄ−４〜Ｄ−９には学生Ｓ−２が着席しており、机情報保持装置１０−４〜１０−９には無線タグ１０−４〜１０−９がセットされている。
【００１８】
図２は、実施例１に係る机情報保持装置１０（＝１０−１〜１０−９の任意の一つ）の上面図である。
１１ａは電源用コンタクト、１１ｂは信号用コンタクト、１１ｃはグランド用コンタクトである。
【００１９】
図３は、実施例１に係る机情報保持装置１０のブロック図である。
コンタクト１１ａ，１１ｂ，１１ｃはインタフェース１２に接続され、インタフェース１２はマイコン（マイクロコンピュータ）１３に接続され、マイコン１３にはディップスイッチ１４が接続されている。
ディップスイッチ１４の設定は、机情報保持装置１０が設置される机にユニークに対応する机情報になっている。
【００２０】
図４は、給電されている状態での実施例１に係る机情報保持装置１０の動作を示すフロー図である。
ステップＰ１では、マイコン１３は、セットされている無線タグ２０（＝２０−１〜２０−９の任意の一つ）から送信要求があるのを待ち、送信要求があるとステップＰ２へ進む。
ステップＰ２では、マイコン１３は、ディップスイッチ１４の設定すなわち机情報を読み取る。
ステップＰ３では、マイコン１３は、セットされている無線タグ２０へ机情報を送信する。そして、ステップＰ１に戻る。
【００２１】
図５は、実施例１に係る無線タグ２０の裏面図である。
２１ａは電源用コンタクト、２１ｂは信号用コンタクト、２１ｃはグランド用コンタクトである。
【００２２】
図６は、実施例１に係る無線タグ２０の表面図である。
２２ａは第１ＬＥＤ、２２ｂは第２ＬＥＤ、２２ｃは第３ＬＥＤであり、２３ａは第１ボタン（スイッチ）、２３ｂは第２ボタン、２３ｃは第３ボタンである。
【００２３】
図７は、実施例１に係る机情報保持装置１０に実施例１に係る無線タグ２０をセットした状態を示す上面図である。
【００２４】
図８は、実施例１に係る無線タグ２０のブロック図である。
コンタクト２１ａ〜２１ｃおよびＬＥＤ２２ａ〜２２ｃおよびボタン２３ａ〜２３ｃはインタフェース２４に接続され、インタフェース２４はマイコン２５に接続され、マイコン２５にはメモリ２６および送信部２７および電池寿命検知部２８が接続されている。
メモリ２６は、不揮発性であり、無線タグにユニークな無線タグＩＤを記憶している。無線タグＩＤは、管理装置３０の制御装置３２において、無線タグ２０を所持する学生の氏名等と対応付けられている。すなわち、無線タグＩＤが学生情報になっている。
２９は、電池である。
【００２５】
図９は、実施例１に係る無線タグ２０の動作を示すフロー図である。
ステップＭ１では、マイコン２５は、メモリ２６から学生情報を読み取り、その学生情報を含む送信データを作成する。
【００２６】
ステップＭ２では、図１０の電池・ボタン処理を実行する。
【００２７】
ステップＭ３では、マイコン２５は、信号用コンタクト２１ｂから見たインピーダンスの違いにより信号用コンタクト２１ｂが机情報保持装置１０の信号用コンタクト１１ｂに接続されているか否をチェックし、接続されているならステップＭ６へ進み、接続されていないならステップＭ４へ進む。
ステップＭ４では、マイコン２５は、前回の送信から所定の送信周期Ｔｆ（例えば６０秒）以上経過したかチェックし、経過していたらステップＭ５へ進み、経過していないならステップＭ２に戻る。
ステップ１２では、マイコン２５は、送信部２７から送信データを電波で送信する。そして、ステップＭ２に戻る。
【００２８】
ステップＭ６では、マイコン２５は、机情報保持装置１０への給電を開始する。
【００２９】
ステップＭ７では、マイコン２５は、机情報保持装置１０に机情報の送信を要求する。
ステップＭ８では、マイコン２５は、要求から所定時間内に机情報を読み取れたかチェックし、読み取れたらステップＭ９へ進み、読み取れなかったらステップＭ１２へ進む。
ステップＭ９では、マイコン２５は、机情報が送信データに付加されていないなら付加し、既に付加されているなら最新の机情報に更新する。そして、
【００３０】
ステップＭ１０では、図１０の電池・ボタン処理を実行する。
【００３１】
ステップＭ１１では、マイコン２５は、前回の送信から所定の送信周期Ｔｓ（例えば１秒）以上経過したかチェックし、経過していたらステップＭ１２へ進み、経過していないならステップＭ７に戻る。
ステップ１２では、マイコン２５は、送信部２７から送信データを電波で送信する。そして、ステップＭ２に戻る。
【００３２】
ステップＭ１３では、信号用コンタクト２１ｂが机情報保持装置１０の信号用コンタクト１１ｂに接続されているか否をチェックし、接続されているなら図示せぬエラー処理へ進み、接続されていないならステップＭ１４へ進む。
ステップＭ１４では、マイコン２５は、机情報保持装置１０への給電を停止する。
ステップＭ１５では、マイコン２５は、机情報を送信データから除去する。そして、ステップＭ２に戻る。
【００３３】
図１０は、実施例１に係る無線タグ２０の電池・ボタン処理を示すフロー図である。
ステップＭ２１では、マイコン２５は、電池寿命検知部２８から電池電圧情報を読み取り、電池電圧が所定の限界値まで下がっていたらステップＭ２２へ進み、所定の限界値まで下がっていないならステップＭ２３へ進む。
ステップＭ２２では、マイコン２５は、ＬＥＤ２２ａ〜２２ｃを所定パターンで点灯する。例えば、ＬＥＤ２２ａを０．５秒点灯し、次にＬＥＤ２２ｂを０．５秒点灯し、次にＬＥＤ２２ｃを０．５秒点灯することを３回繰り返す。
【００３４】
ステップＭ２３では、マイコン２５は、電池電圧情報が送信データに付加されていないなら付加し、既に付加されているなら最新の電池電圧情報に更新する。
ステップＭ２４では、マイコン２５は、ボタン２３ａ〜２３ｃが押されたかチェックし、押されていたらステップＭ２５へ進み、いずれのボタンも押されていなければステップＭ２６へ進む。
ステップＭ２５では、マイコン２５は、ボタン２３ａが押されたのならＬＥＤ２２ａを所定パターンで点灯し、ボタン２３ｂが押されたのならＬＥＤ２２ｂを所定パターンで点灯し、ボタン２３ｃが押されたのならＬＥＤ２２ｃを所定パターンで点灯する。例えば、０．４秒点灯し、０．２秒消灯し、０．４秒点灯し、０．２秒消灯し、０．４秒点灯し、消灯する。
【００３５】
ステップＭ２６では、マイコン２５は、ボタン２３ａ〜２３ｃの状態からボタン情報を作成し、送信データに付加する。
ステップＭ２７では、マイコン２５は、送信部２７から送信データを電波で送信する。そして、電池・ボタン処理を呼び出したステップの次のステップへリターンする。
【００３６】
図１１は、実施例１に係る管理装置３０の動作を示すフロー図である。
ステップＫ１では、制御装置３２は、無線タグ２０からの電波をアンテナ３１で受信するまで待ち、受信したらステップＫ２へ進む。
ステップＫ２では、制御装置３２は、受信した電波から送信データを取得する。
ステップＫ３では、制御装置３２は、送信データに含まれる学生情報、電池電圧情報、ボタン情報を取り出す。また、送信データに机情報が含まれていたら、机情報を取り出す。
ステップＫ４では、制御装置３２は、学生情報に基づく処理を行う。この処理は、例えば教室内に居る学生（＝教室内に在る無線タグ２０）の把握処理である。
ステップＫ５では、制御装置３２は、電池電圧情報を基に電池電圧が所定の限界値まで下がっていたらステップＫ６へ進み、所定の限界値まで下がっていないならステップＫ７へ進む。
ステップＫ６では、制御装置３２は、図１２に例示するように学生（ここではＳ−３）に対する電池寿命の警告をタッチパネル付きディスプレイ３３に表示する。
【００３７】
ステップＫ７では、制御装置３２は、学生情報とボタン情報とに基づく処理を行う。この処理は、例えば何もしない、三択問題に対する学生の答えを得る、アンケートの集計を行う等の処理である。
【００３８】
ステップＫ８では、制御装置３２は、机情報が送信データに含まれていたらステップＫ９へ進み、含まれていなければステップＫ１に戻る。
ステップＫ９では、制御装置３２は、学生情報と机情報とに基づく処理を行う。そして、ステップＫ１に戻る。
学生情報と机情報とに基づく処理は、例えば日時と教室名と講師名と学生情報と机情報とを関連付けて記憶する処理である。また、図１２に示すように、予め登録されている机Ｄ−１〜Ｄ−９のレイアウト図形を表示し、各机の机情報に関連付けてある学生情報があればそれら学生の着席を示す図形を表示し、各机の机情報に関連付けてある学生情報がなければ着席されていない状態を示す図形を表示する処理である。
【００３９】
図１２は、実施例１に係るタッチパネル付きディスプレイ３３における表示例であり、図１の教室状態に対応している。
講師Ｔは、検知されている無線タグ２０の数（ここでは９個）と教室内に居る学生数（ここでは８人）とを比べて、数が合わない場合は原因（ここでは教室に居ない学生の無線タグ２０−３が机Ｄ−３の机情報保持装置１０−３にセットされている）を探り、原因に応じた処理を手動で行う。また、画面における着席状態（図１２では机Ｄ−３〜Ｄ９に学生Ｓ−３〜Ｓ９が着席している）と実際の着席状態（図１では机Ｄ−２にも学生が着席しており、机Ｄ−３には学生が着席していない）を比べて、一致しない場合は原因（ここでは机Ｄ−２に着席している学生が無線タグ２０−２を机情報保持装置１０−２にセットしておらず、教室に居ない学生の無線タグ２０−３が机Ｄ−３の机情報保持装置１０−３にセットされている）を探り、原因に応じた処理を手動で行う。
【００４０】
実施例１に係る着席管理システム１００によれば次の効果が得られる。
（１）教室内の各机Ｄにどの学生が着席したかのデータを容易に収集できる。
（２）講師がディスプレイの表示と実際の着席状況とを比較することにより容易に不正を発見することが出来る。
（３）机Ｄ−１〜Ｄ−９に設置される机情報保持装置１０−１〜１０−９に対する通信線や給電線の設備が不要になる。
（４）１つの教室に１つのアンテナ３１で済むから、設備の負担を軽減できる。
（５）管理者が無線タグ用リーダ・ライタを持って各机を巡回することが不要になるから、管理者にかかる負担を軽減できる。
【００４１】
なお、教室の出入口近傍のみに感度エリアをもつアンテナを設け、そのアンテナを利用して学生の出入りを監視してもよい。
【実施例２】
【００４２】
図１３は、実施例２に係る机情報保持装置１０の上面図である。
コンタクト１１ａ〜１１ｃに加えて、第１ＬＥＤ１７ａ、第２ＬＥＤ１７ｂ、第３ＬＥＤ１７ｃおよび第１ボタン１８ａ、第２ボタン１８ｂ、第３ボタン１８ｃを備えている。
【００４３】
図１４は、実施例２に係る机情報保持装置１０のブロック図である。
コンタクト１１ａ〜１１ｃ、ＬＥＤ１７ａ〜１７ｃ、ボタン１８ａ〜１８ｃはインタフェース１２に接続され、インタフェース１２はマイコン１３に接続され、マイコン１３にはディップスイッチ１４が接続されている。
ディップスイッチ１４の設定は、机情報保持装置１０が設置される机にユニークに対応する机情報になっている。
【００４４】
図１５は、給電されている状態での実施例２に係る机情報保持装置１０の動作を示すフロー図である。
ステップＰ１１では、マイコン１３は、給電が開始されたことを示す所定のパターンでＬＥＤ１７ａ〜１７ｃを点灯する。
【００４５】
ステップＰ１２では、マイコン１３は、セットされている無線タグ２０から送信要求があるのを待ち、送信要求があったならステップＰ１３へ進む。
ステップＰ１３では、マイコン１３は、ボタン１８ａ〜１８ｃの状態からボタン情報を作成する。
ステップＰ１４では、マイコン１３は、ボタン１８ａ〜１８ｃが押されたかチェックし、押されていたらステップＰ１５へ進み、いずれのボタンも押されていなければステップＰ１６へ進む。
ステップＰ１５では、マイコン１３は、ボタン１８ａが押されたのならＬＥＤ１７ａを所定パターンで点灯し、ボタン１８ｂが押されたのならＬＥＤ１７ｂを所定パターンで点灯し、ボタン１８ｃが押されたのならＬＥＤ１７ｃを所定パターンで点灯する。
【００４６】
ステップＰ１６では、マイコン１３は、ディップスイッチ１４の設定すなわち机情報を読み取る。
ステップＰ１７では、マイコン１３は、セットされている無線タグ２０へボタン情報および机情報を送信する。そして、ステップＰ１２に戻る。
【００４７】
無線タグ２０の処理は、図９のステップＭ９における「机情報」を「ボタン情報および机情報」にすればよい。
【００４８】
実施例２に係る着席管理システムによれば、実施例１と同じ効果が得られる。さらに、無線タグ２０のＬＥＤやボタンを省略可能となるので、無線タグ２０の上面に学生の顔写真などを貼り付けることも可能となる。
【実施例３】
【００４９】
図１６は、実施例３に係る着席管理システム１００を示す構成図である。
この着席管理システム１００は、実施例１の着席管理システム１００に、各イスＣ−１〜Ｃ−９に着座するとオンになる着座スイッチ４０−１〜４０−９を加えた構成である。
【００５０】
図１７は、実施例３に係る机情報保持装置１０および着座スイッチ４０（＝４０−１〜４０−９の任意の一つ）を示すブロック図である。
電源用コンタクト１１ａは、着座スイッチ４０と直列接続になっている。
【００５１】
実施例３に係る着席管理システム１００によれば、机情報保持装置１０に無線タグ２０をセットしたまま忘れて帰っても、イスＣから離席すると給電されなくなるので、無駄な給電を防止することが出来る。
【実施例４】
【００５２】
図１８は、実施例４に係る机情報保持装置１０および着座スイッチ４０を示す構成説明図である。
机情報保持装置１０は、無線タグ検知スイッチ１８ｄおよび着座スイッチ４０と直列接続になっている電池１９で駆動される。
電池１９は、ボタン電池、リチウム電池、太陽電池などを使用できる。
【００５３】
実施例４に係る着席管理システムによれば、無線タグ検知スイッチ１８ｄがオンになるように適正に机情報保持装置１０に無線タグ２０をセットし且つイスＣに着席しなければ給電されないので、電池１９の無駄な消耗を防止することが出来る。
【実施例５】
【００５４】
図１９は、実施例５に係る机情報保持装置１０を示す上面図である。
机情報保持装置１０は、バイナリーコードを表すように１個〜１０個の磁石１６を内部に配列したものであり、バイナリーコードが机情報である。
【００５５】
図２０は、実施例５に係る無線タグ２０を示す裏面図である。
無線タグ２０は、磁気センサ２１０〜２１９の配列を内部に有しており、机情報保持装置１０の磁石配列すなわちバイナリーコードを読み取れるようになっている。
【００５６】
実施例５に係る着席管理システムによれば、机情報保持装置１０は電源が全く不要となる。
【００５７】
なお、磁石配列の代わりにバーコードを印刷した机情報保持装置１０を用いると共に、磁気センサの代わりにバーコードリーダを内蔵した無線タグ２０を用いてもよい。
【産業上の利用可能性】
【００５８】
本発明の配置管理システム、場所情報保持装置、無線タグおよび管理装置は、教室の机に対する学生の着席管理、工場の機械や作業台に対する作業者の配置管理、病院の治療台に対する看護士や医師の配置管理、病院のベッドに対する患者の着床管理、倉庫における商品の保管場所管理などに利用できる。
【図面の簡単な説明】
【００５９】
【図１】実施例１に係る着席管理システムを示す構成説明図である。
【図２】実施例１に係る机情報保持装置の上面図である。
【図３】実施例１に係る机情報保持装置の機能ブロック図である。
【図４】実施例１に係る机情報保持装置の動作フロー図である。
【図５】実施例１に係る無線タグの裏面図である。
【図６】実施例１に係る無線タグの表面図である。
【図７】実施例１に係る机情報保持装置に実施例１に係る無線タグをセットした状態を示す上面図である。
【図８】実施例１に係る無線タグの機能ブロック図である。
【図９】実施例１に係る無線タグの動作フロー図である。
【図１０】実施例１に係る無線タグの電池・ボタン処理を示すフロー図である。
【図１１】実施例１に係る管理装置の動作フロー図である。
【図１２】実施例１に係るディスプレイ表示の例示図である。
【図１３】実施例２に係る机情報保持装置の上面図である。
【図１４】実施例２に係る机情報保持装置の機能ブロック図である。
【図１５】実施例２に係る机情報保持装置の動作フロー図である。
【図１６】実施例３に係る着席管理システムを示す構成説明図である。
【図１７】実施例３に係る着座スイッチと机情報保持装置の接続を示す機能ブロック図である。
【図１８】実施例４に係る着座スイッチと机情報保持装置の接続を示す機能ブロック図である。
【図１９】実施例５に係る机情報保持装置の上面図である。
【図２０】実施例５に係る無線タグの裏面図である。
【符号の説明】
【００６０】
１０，１０−１〜１０−９          机情報保持装置
１６                              マグネット
２０，２０−１〜３０−９          無線タグ
３０                              管理装置
３１                              アンテナ
３２                              制御装置
３３                              タッチパネル付きディスプレイ
４０−１〜４０−９                着座検知スイッチ
１００                            着席管理システム
２１０〜２１９                    磁気センサ
【図１】
2009146258.tif 000003
【図２】
2009146258.tif 000004
【図３】
2009146258.tif 000005
【図４】
2009146258.tif 000006
【図５】
2009146258.tif 000007
【図６】
2009146258.tif 000008
【図７】
2009146258.tif 000009
【図８】
2009146258.tif 000010
【図９】
2009146258.tif 000011
【図１０】
2009146258.tif 000012
【図１１】
2009146258.tif 000013
【図１２】
2009146258.tif 000014
【図１３】
2009146258.tif 000015
【図１４】
2009146258.tif 000016
【図１５】
2009146258.tif 000017
【図１６】
2009146258.tif 000018
【図１７】
2009146258.tif 000019
【図１８】
2009146258.tif 000020
【図１９】
2009146258.tif 000021
【図２０】
2009146258.tif 000022